(57)【要約】【課題】  所定のエラーが発生したときに従来より早期に印刷を開始することができる画像形成装置を提供する。【解決手段】  ＭＦＰは、省エネモードに遷移するための時間である遷移用時間を計測し（Ｓ１０１）、計測した遷移用時間が０秒になったとき（Ｓ１０９でＹＥＳ）に省エネモードに遷移させ（Ｓ１１１）、給紙カセットが開いているエラーが発生したことを検出したとき（Ｓ１０３でＹＥＳ）に遷移用時間の計測を休止し（Ｓ１０４）、給紙カセットが開いているエラーが解消されたことを検出したとき（Ｓ１０５でＹＥＳ）に遷移用時間の計測を再開する（Ｓ１０６）ことを特徴とする。【選択図】  図３
2011248155.tif 000002
【特許請求の範囲】
【請求項１】
省エネモードに遷移するための時間である遷移用時間を計測する遷移用時間計測手段と、前記遷移用時間計測手段によって計測された前記遷移用時間が所定の時間になったときに前記省エネモードに遷移させる省エネモード遷移手段と、所定のエラーを検出するエラー検出手段とを備えており、
前記遷移用時間計測手段は、前記エラーが発生したことが前記エラー検出手段によって検出されたときに前記遷移用時間の計測を休止し、前記エラーが解消されたことが前記エラー検出手段によって検出されたときに前記遷移用時間の計測を再開することを特徴とする画像形成装置。
【請求項２】
前記省エネモードに遷移するまでの残り時間を前記遷移用時間に基づいて表示する残り時間表示手段を備えていることを特徴とする請求項１に記載の画像形成装置。
【請求項３】
省エネモードに遷移するための時間である遷移用時間を計測する遷移用時間計測手段と、前記遷移用時間計測手段によって計測された前記遷移用時間が所定の時間になったときに前記省エネモードに遷移させる省エネモード遷移手段と、所定のエラーを検出するエラー検出手段として画像形成装置を機能させ、
前記遷移用時間計測手段は、前記エラーが発生したことが前記エラー検出手段によって検出されたときに前記遷移用時間の計測を休止し、前記エラーが解消されたことが前記エラー検出手段によって検出されたときに前記遷移用時間の計測を再開することを特徴とする省エネ制御プログラム。
【発明の詳細な説明】
【技術分野】
【０００１】
本発明は、省エネモードを備えている画像形成装置に関する。
【背景技術】
【０００２】
従来、省エネモードを備えている画像形成装置が知られている（例えば、特許文献１―３参照。）。例えば、従来の画像形成装置は、用紙を供給するカセットが利用者によって開けられると時間の計測を開始し、計測中の時間が所定の時間になったときに省エネモードに遷移する。
【先行技術文献】
【特許文献】
【０００３】
【特許文献１】特開２００２−２９２９７３号公報
【特許文献２】特開２００５−６１１０号公報
【特許文献３】特開２００５−１５３２２６号公報
【発明の概要】
【発明が解決しようとする課題】
【０００４】
しかしながら、従来の画像形成装置は、利用者がカセットに用紙を補充するためにカセットを開けた後で用紙の補充に手間取ると、計測中の時間が所定の時間になり、カセットが開けられた状態で省エネモードに遷移してしまう。その後、利用者がカセットに用紙を補充してカセットを閉めると、従来の画像形成装置は、まず省エネモードから復帰しなければならないので、直ぐに印刷を開始することができない。
【０００５】
そこで、本発明は、所定のエラーが発生したときに従来より早期に印刷を開始することができる画像形成装置を提供することを目的とする。
【課題を解決するための手段】
【０００６】
本発明の画像形成装置は、省エネモードに遷移するための時間である遷移用時間を計測する遷移用時間計測手段と、前記遷移用時間計測手段によって計測された前記遷移用時間が所定の時間になったときに前記省エネモードに遷移させる省エネモード遷移手段と、所定のエラーを検出するエラー検出手段とを備えており、前記遷移用時間計測手段は、前記エラーが発生したことが前記エラー検出手段によって検出されたときに前記遷移用時間の計測を休止し、前記エラーが解消されたことが前記エラー検出手段によって検出されたときに前記遷移用時間の計測を再開することを特徴とする。
【０００７】
この構成により、本発明の画像形成装置は、所定のエラーが発生したときに遷移用時間の計測を休止するので、所定のエラーの発生中に省エネモードに遷移することを防止することができる。したがって、本発明の画像形成装置は、所定のエラーが解消されたときに、省エネモードから復帰するための不必要な待ち時間を要しないので、従来より早期に印刷を開始することができる。
【０００８】
また、本発明の画像形成装置は、前記省エネモードに遷移するまでの残り時間を前記遷移用時間に基づいて表示する残り時間表示手段を備えていることが好ましい。
【０００９】
この構成により、本発明の画像形成装置は、省エネモードに遷移するための残り時間を利用者に認識させることができるので、利用者の利便性を向上することができる。
【００１０】
本発明の省エネ制御プログラムは、省エネモードに遷移するための時間である遷移用時間を計測する遷移用時間計測手段と、前記遷移用時間計測手段によって計測された前記遷移用時間が所定の時間になったときに前記省エネモードに遷移させる省エネモード遷移手段と、所定のエラーを検出するエラー検出手段として画像形成装置を機能させ、前記遷移用時間計測手段は、前記エラーが発生したことが前記エラー検出手段によって検出されたときに前記遷移用時間の計測を休止し、前記エラーが解消されたことが前記エラー検出手段によって検出されたときに前記遷移用時間の計測を再開することを特徴とする。
【００１１】
この構成により、本発明の省エネ制御プログラムを実行する画像形成装置は、所定のエラーが発生したときに遷移用時間の計測を休止するので、所定のエラーの発生中に省エネモードに遷移することを防止することができる。したがって、本発明の省エネ制御プログラムを実行する画像形成装置は、所定のエラーが解消されたときに、省エネモードから復帰するための不必要な待ち時間を要しないので、従来より早期に印刷を開始することができる。
【発明の効果】
【００１２】
本発明の画像形成装置は、所定のエラーが発生したときに従来より早期に印刷を開始することができる。
【図面の簡単な説明】
【００１３】
【図１】本発明の一実施の形態に係るＭＦＰのブロック図である。
【図２】図１に示すコントローラの機能を示すブロック図である。
【図３】図１に示すプリントエンジンから用紙無し状態が通知されたときのコントローラの動作のフローチャートである。
【図４】図１に示すプリントエンジンからジャム有り状態が通知されたときのコントローラの動作のフローチャートである。
【発明を実施するための形態】
【００１４】
以下、本発明の一実施の形態について、図面を用いて説明する。
【００１５】
まず、本実施の形態に係る画像形成装置としてのＭＦＰ（Ｍｕｌｔｉｆｕｎｃｔｉｏｎ  Ｐｅｒｉｐｈｅｒａｌ）の構成について説明する。
【００１６】
図１は、本実施の形態に係るＭＦＰ１０のブロック図である。
【００１７】
図１に示すように、ＭＦＰ１０は、ＭＦＰ１０全体を制御するコントローラ１１と、種々の情報を表示する表示パネル１２と、用紙に印刷を実行するプリントエンジン１３と、プリントエンジン１３を覆う本体カバー１４と、プリントエンジン１３に供給される用紙を収納する給紙カセット１５と、原稿を読み込んで画像データを生成する読込デバイスであるスキャナ１６と、ＰＣ（Ｐｅｒｓｏｎａｌ  Ｃｏｍｐｕｔｅｒ）などの図示していない外部の装置とＬＡＮ（Ｌｏｃａｌ  Ａｒｅａ  Ｎｅｔｗｏｒｋ）などのネットワークを介して通信を行うためのネットワーク通信部１７と、図示していない外部のファクシミリ装置と公衆電話回線などの通信回線を介してＦＡＸ通信を行うためのファクシミリ通信部１８と、ＵＳＢ（Ｕｎｉｖｅｒｓａｌ  Ｓｅｒｉａｌ  Ｂｕｓ）メモリなどの外部の記憶装置と接続するための外部メモリ接続部１９とを備えている。
【００１８】
コントローラ１１は、例えば、ＣＰＵ（Ｃｅｎｔｒａｌ  Ｐｒｏｃｅｓｓｉｎｇ  Ｕｎｉｔ）と、本発明の省エネ制御プログラムを含むプログラムおよび各種のデータを予め記憶しているＲＯＭ(Ｒｅａｄ  Ｏｎｌｙ  Ｍｅｍｏｒｙ)と、ＣＰＵの作業領域として用いられるＲＡＭ(Ｒａｎｄｏｍ  Ａｃｃｅｓｓ  Ｍｅｍｏｒｙ)とを備えている。ＣＰＵは、ＲＯＭに記憶されているプログラムを実行することによってコントローラ１１を動作させる演算処理装置である。ＲＡＭは、ＣＰＵによってプログラムが実行されるときにプログラムや各種のデータを一時的に記憶するようになっている。
【００１９】
表示パネル１２は、例えばＬＣＤ(Ｌｉｑｕｉｄ  Ｃｒｙｓｔａｌ  Ｄｉｓｐｌａｙ)などの表示デバイスである。
【００２０】
プリントエンジン１３は、例えば、スキャナ１６によって生成された画像データや、外部の装置からネットワーク通信部１７を介して受信された印刷データや、外部のファクシミリ装置からファクシミリ通信部１８を介して受信されたＦＡＸデータや、外部の記憶装置から外部メモリ接続部１９を介して受信されたデータなどの各種のデータを印刷する印刷デバイスである。
【００２１】
また、プリントエンジン１３は、本体カバー１４の開閉状態や、給紙カセット１５の開閉状態など、各種の状態を検出する図示していないセンサを備えている。
【００２２】
本体カバー１４は、例えばプリントエンジン１３に発生したジャム（用紙詰まり）を利用者が解消するために開閉可能になっている。
【００２３】
給紙カセット１５は、例えば利用者が用紙を補充するために開閉可能になっている。
【００２４】
ネットワーク通信部１７は、例えば、スキャナ１６によって生成された画像データを外部の装置に送信したり、プリントエンジン１３で印刷されるための印刷データを外部の装置から受信したりするようになっている。
【００２５】
ファクシミリ通信部１８は、例えば、スキャナ１６によって生成された画像データを外部のファクシミリ装置にＦＡＸ送信したり、プリントエンジン１３で印刷されるためのＦＡＸデータを外部のファクシミリ装置から受信したりするようになっている。
【００２６】
外部メモリ接続部１９は、例えば、スキャナ１６によって生成された画像データを外部の記憶装置に送信したり、プリントエンジン１３で印刷されるためのデータを外部の記憶装置から受信したりするようになっている。
【００２７】
図２は、コントローラ１１の機能を示すブロック図である。なお、図２においては、コントローラ１１の機能のうち、スキャナ１６、ネットワーク通信部１７、ファクシミリ通信部１８および外部メモリ接続部１９に関する機能について省略している。
【００２８】
図２に示すように、コントローラ１１は、表示パネル１２による表示を制御する表示制御部１１ａと、プリントエンジン１３による印刷を制御する印刷制御部１１ｂと、コントローラ１１の電源を管理する電源管理部１１ｃと、本体カバー１４および給紙カセット１５の状態など、プリントエンジン１３から機器の状態が通知される機器状態制御部１１ｄと、コントローラ１１およびプリントエンジン１３を省エネモードに遷移させる本発明の省エネモード遷移手段としての省エネ制御部１１ｅとして機能するようになっている。
【００２９】
機器状態制御部１１ｄがプリントエンジン１３から通知される機器の状態には、例えば、プリントエンジン１３にジャムのエラーが発生していることを示すジャム有り状態、本体カバー１４が開いているエラーが発生していることを示すカバー開状態、給紙カセット１５に用紙が無い（用紙切れ）エラーが発生していることを示す用紙無し状態、給紙カセット１５が開いているエラーが発生していることを示すカセット開状態などがある。このように、機器状態制御部１１ｄは、エラーを検出するようになっており、本発明のエラー検出手段を構成している。
【００３０】
機器状態制御部１１ｄは、プリントエンジン１３から通知された機器の状態を省エネ制御部１１ｅに通知するようになっている。また、機器状態制御部１１ｄは、省エネモードに遷移するための時間である遷移用時間を省エネ制御部１１ｅから受信して、受信した遷移用時間の表示を表示制御部１１ａに指示するようになっている。
【００３１】
省エネ制御部１１ｅは、電源管理部１１ｃに指示することによって、コントローラ１１を省エネモードに遷移させるようになっている。また、省エネ制御部１１ｅは、タイマによって遷移用時間を計測するようになっており、本発明の遷移用時間計測手段を構成している。
【００３２】
次に、ＭＦＰ１０の動作について説明する。
【００３３】
ＭＦＰ１０は、スキャナ１６によって生成された画像データをプリントエンジン１３によって印刷することができる。また、ＭＦＰ１０は、外部の装置からネットワーク通信部１７を介して受信した印刷データをプリントエンジン１３によって印刷することもできる。また、ＭＦＰ１０は、外部のファクシミリ装置からファクシミリ通信部１８を介してＦＡＸ受信したＦＡＸデータをプリントエンジン１３によって印刷することもできる。また、ＭＦＰ１０は、外部の記憶装置から外部メモリ接続部１９を介して受信したデータをプリントエンジン１３によって印刷することもできる。
【００３４】
図３は、プリントエンジン１３から用紙無し状態が通知されたときのコントローラ１１の動作のフローチャートである。
【００３５】
プリントエンジン１３による印刷中に給紙カセット１５に用紙が無くなると、コントローラ１１の機器状態制御部１１ｄには、プリントエンジン１３から用紙無し状態が通知される。コントローラ１１は、プリントエンジン１３から用紙無し状態が通知されると、図３に示す処理を開始する。
【００３６】
図３に示すように、コントローラ１１の省エネ制御部１１ｅは、機器状態制御部１１ｄから用紙無し状態が通知されて、タイマによる遷移用時間の計測を開始する（Ｓ１０１）。例えば、遷移用時間は、初期値が６０秒であり、省エネ制御部１１ｅによってカウントダウンされる。なお、省エネ制御部１１ｅは、遷移用時間を計測しているとき、常に遷移用時間を機器状態制御部１１ｄに送信するようになっている。
【００３７】
次いで、機器状態制御部１１ｄは、省エネ制御部１１ｅから受信した遷移用時間の表示の開始を表示制御部１１ａに指示する。そして、表示制御部１１ａは、機器状態制御部１１ｄからの指示に応じて、表示パネル１２による遷移用時間の表示を開始する（Ｓ１０２）。Ｓ１０２において開始される表示の内容は、例えば「Ｘ秒で省エネモードに遷移します」という内容である。ここで、「Ｘ」には、遷移用時間が代入される。このように、表示パネル１２は、省エネモードに遷移するまでの残り時間を遷移用時間に基づいて表示するようになっており、本発明の残り時間表示手段を構成している。
【００３８】
次いで、機器状態制御部１１ｄは、給紙カセット１５が開いているか否かを判断する（Ｓ１０３）。ここで、機器状態制御部１１ｄは、カセット開状態がプリントエンジン１３から通知されると、給紙カセット１５が開いていると判断し、給紙カセット１５が閉まっていることを示すカセット閉状態がプリントエンジン１３から通知されると、給紙カセット１５が開いていないと判断する。
【００３９】
Ｓ１０３において給紙カセット１５が開いていると機器状態制御部１１ｄが判断すると、省エネ制御部１１ｅは、タイマによる遷移用時間の計測を休止する（Ｓ１０４）。つまり、省エネ制御部１１ｅは、給紙カセット１５が開いているエラーが発生したことが機器状態制御部１１ｄによって検出されたときに遷移用時間の計測を休止する。
【００４０】
次いで、機器状態制御部１１ｄは、給紙カセット１５が閉まっていると判断するまで、給紙カセット１５が閉まっているか否かを判断する（Ｓ１０５）。ここで、機器状態制御部１１ｄは、カセット閉状態がプリントエンジン１３から通知されると、給紙カセット１５が閉まっていると判断し、カセット開状態がプリントエンジン１３から通知されると、給紙カセット１５が閉まっていないと判断する。
【００４１】
そして、Ｓ１０５において給紙カセット１５が閉まっていると機器状態制御部１１ｄが判断すると、省エネ制御部１１ｅは、タイマによる遷移用時間の計測を再開する（Ｓ１０６）。つまり、省エネ制御部１１ｅは、給紙カセット１５が開いているエラーが解消されたことが機器状態制御部１１ｄによって検出されたときに遷移用時間の計測を再開する。
【００４２】
Ｓ１０３において給紙カセット１５が開いていないと機器状態制御部１１ｄが判断するか、省エネ制御部１１ｅがＳ１０６の処理を終了すると、機器状態制御部１１ｄは、給紙カセット１５に用紙が補充されたか否かを判断する（Ｓ１０７）。ここで、機器状態制御部１１ｄは、給紙カセット１５に用紙が有ることを示す用紙有り状態がプリントエンジン１３から通知されると、給紙カセット１５に用紙が補充されたと判断し、用紙無し状態がプリントエンジン１３から通知されると、給紙カセット１５に用紙が補充されていないと判断する。
【００４３】
Ｓ１０７において給紙カセット１５に用紙が補充されたと機器状態制御部１１ｄが判断すると、機器状態制御部１１ｄは、遷移用時間の表示を終了することを表示制御部１１ａに指示する。そして、表示制御部１１ａは、機器状態制御部１１ｄからの指示に応じて、表示パネル１２による遷移用時間の表示を終了する（Ｓ１０８）。コントローラ１１は、表示制御部１１ａがＳ１０８の処理を実行すると、図３に示す処理を終了する。
【００４４】
一方、Ｓ１０７において給紙カセット１５に用紙が補充されていないと機器状態制御部１１ｄが判断すると、省エネ制御部１１ｅは、計測中の遷移用時間が０秒になったか否かを判断する（Ｓ１０９）。
【００４５】
Ｓ１０９において遷移用時間が０秒になっていないと省エネ制御部１１ｅが判断すると、コントローラ１１は、Ｓ１０３の処理を再び実行する。
【００４６】
一方、Ｓ１０９において遷移用時間が０秒になったと省エネ制御部１１ｅが判断すると、機器状態制御部１１ｄは、遷移用時間の表示を終了することを表示制御部１１ａに指示する。そして、表示制御部１１ａは、機器状態制御部１１ｄからの指示に応じて、表示パネル１２による遷移用時間の表示を終了する（Ｓ１１０）。
【００４７】
次いで、省エネ制御部１１ｅは、省エネモードに遷移するように電源管理部１１ｃおよびプリントエンジン１３に指示することによって、ＭＦＰ１０を省エネモードに遷移させる（Ｓ１１１）。つまり、省エネ制御部１１ｅは、計測している遷移用時間が所定の時間、すなわち０秒になったときにＭＦＰ１０を省エネモードに遷移させる。コントローラ１１は、省エネ制御部１１ｅがＳ１１１の処理を実行すると、図３に示す処理を終了する。
【００４８】
図４は、プリントエンジン１３からジャム有り状態が通知されたときのコントローラ１１の動作のフローチャートである。
【００４９】
プリントエンジン１３による印刷中にプリントエンジン１３にジャムが発生すると、コントローラ１１の機器状態制御部１１ｄには、プリントエンジン１３からジャム有り状態が通知される。コントローラ１１は、プリントエンジン１３からジャム有り状態が通知されると、図４に示す処理を開始する。
【００５０】
図４に示すように、コントローラ１１の省エネ制御部１１ｅは、機器状態制御部１１ｄからジャム有り状態が通知されて、タイマによる遷移用時間の計測を開始する（Ｓ１２１）。例えば、遷移用時間は、初期値が６０秒であり、省エネ制御部１１ｅによってカウントダウンされる。なお、省エネ制御部１１ｅは、遷移用時間を計測しているとき、常に遷移用時間を機器状態制御部１１ｄに送信するようになっている。
【００５１】
次いで、機器状態制御部１１ｄは、省エネ制御部１１ｅから受信した遷移用時間の表示の開始を表示制御部１１ａに指示する。そして、表示制御部１１ａは、機器状態制御部１１ｄからの指示に応じて、表示パネル１２による遷移用時間の表示を開始する（Ｓ１２２）。Ｓ１２２において開始される表示の内容は、例えば「Ｘ秒で省エネモードに遷移します」という内容である。ここで、「Ｘ」には、遷移用時間が代入される。
【００５２】
次いで、機器状態制御部１１ｄは、本体カバー１４が開いているか否かを判断する（Ｓ１２３）。ここで、機器状態制御部１１ｄは、カバー開状態がプリントエンジン１３から通知されると、本体カバー１４が開いていると判断し、本体カバー１４が閉まっていることを示すカバー閉状態がプリントエンジン１３から通知されると、本体カバー１４が開いていないと判断する。
【００５３】
Ｓ１２３において本体カバー１４が開いていると機器状態制御部１１ｄが判断すると、省エネ制御部１１ｅは、タイマによる遷移用時間の計測を休止する（Ｓ１２４）。つまり、省エネ制御部１１ｅは、本体カバー１４が開いているエラーが発生したことが機器状態制御部１１ｄによって検出されたときに遷移用時間の計測を休止する。
【００５４】
次いで、機器状態制御部１１ｄは、本体カバー１４が閉まっていると判断するまで、本体カバー１４が閉まっているか否かを判断する（Ｓ１２５）。ここで、機器状態制御部１１ｄは、カバー閉状態がプリントエンジン１３から通知されると、本体カバー１４が閉まっていると判断し、カバー開状態がプリントエンジン１３から通知されると、本体カバー１４が閉まっていないと判断する。
【００５５】
そして、Ｓ１２５において本体カバー１４が閉まっていると機器状態制御部１１ｄが判断すると、省エネ制御部１１ｅは、タイマによる遷移用時間の計測を再開する（Ｓ１２６）。つまり、省エネ制御部１１ｅは、本体カバー１４が開いているエラーが解消されたことが機器状態制御部１１ｄによって検出されたときに遷移用時間の計測を再開する。
【００５６】
Ｓ１２３において本体カバー１４が開いていないと機器状態制御部１１ｄが判断するか、省エネ制御部１１ｅがＳ１２６の処理を終了すると、機器状態制御部１１ｄは、ジャムが解消されたか否かを判断する（Ｓ１２７）。ここで、機器状態制御部１１ｄは、ジャムが無いことを示すジャム無し状態がプリントエンジン１３から通知されると、ジャムが解消されたと判断し、ジャム有り状態がプリントエンジン１３から通知されると、ジャムが解消されていないと判断する。
【００５７】
Ｓ１２７においてジャムが解消されたと機器状態制御部１１ｄが判断すると、機器状態制御部１１ｄは、遷移用時間の表示を終了することを表示制御部１１ａに指示する。そして、表示制御部１１ａは、機器状態制御部１１ｄからの指示に応じて、表示パネル１２による遷移用時間の表示を終了する（Ｓ１２８）。コントローラ１１は、表示制御部１１ａがＳ１２８の処理を実行すると、図４に示す処理を終了する。
【００５８】
一方、Ｓ１２７においてジャムが解消されていないと機器状態制御部１１ｄが判断すると、省エネ制御部１１ｅは、計測中の遷移用時間が０秒になったか否かを判断する（Ｓ１２９）。
【００５９】
Ｓ１２９において遷移用時間が０秒になっていないと省エネ制御部１１ｅが判断すると、コントローラ１１は、Ｓ１２３の処理を再び実行する。
【００６０】
一方、Ｓ１２９において遷移用時間が０秒になったと省エネ制御部１１ｅが判断すると、機器状態制御部１１ｄは、遷移用時間の表示を終了することを表示制御部１１ａに指示する。そして、表示制御部１１ａは、機器状態制御部１１ｄからの指示に応じて、表示パネル１２による遷移用時間の表示を終了する（Ｓ１３０）。
【００６１】
次いで、省エネ制御部１１ｅは、省エネモードに遷移するように電源管理部１１ｃおよびプリントエンジン１３に指示することによって、ＭＦＰ１０を省エネモードに遷移させる（Ｓ１３１）。つまり、省エネ制御部１１ｅは、計測している遷移用時間が所定の時間、すなわち０秒になったときにＭＦＰ１０を省エネモードに遷移させる。コントローラ１１は、省エネ制御部１１ｅがＳ１３１の処理を実行すると、図４に示す処理を終了する。
【００６２】
以上に説明したように、ＭＦＰ１０は、所定のエラーが発生したときに遷移用時間の計測を休止するので、所定のエラーの発生中に省エネモードに遷移することを防止することができる。したがって、ＭＦＰ１０は、所定のエラーが解消されたときに、省エネモードから復帰するための不必要な待ち時間を要しないので、従来より早期に印刷を開始することができる。
【００６３】
また、ＭＦＰ１０は、遷移用時間の計測の休止中に所定のエラーが解消されたときに、遷移用時間の計測を最初からやり直すのではなく、休止中の遷移用時間の計測を再開する。したがって、ＭＦＰ１０は、所定のエラーが解消された後、省エネモードに遷移させる要因（以下「省エネモード遷移要因」という。）が解消されないときには、遷移用時間の計測を最初からやり直す構成と比較して早期に省エネモードに遷移することができる。つまり、ＭＦＰ１０は、遷移用時間の計測を最初からやり直す構成と比較して、省エネの性能を向上することができる。
【００６４】
また、ＭＦＰ１０は、省エネモードに遷移するまでの残り時間を表示パネル１２に表示するので、省エネモードに遷移するための残り時間を利用者に認識させることができる。したがって、ＭＦＰ１０は、利用者の利便性を向上することができる。
【００６５】
また、ＭＦＰ１０は、遷移用時間の計測を休止しているときに表示パネル１２に表示されている残り時間が停止しているので、遷移用時間の計測を休止していることを利用者に認識させることができる。なお、ＭＦＰ１０は、表示パネル１２に表示されている残り時間を停止する方法以外の方法によって、遷移用時間の計測を休止していることを利用者に認識させるようになっていても良い。例えば、ＭＦＰ１０は、遷移用時間の計測を休止していることを直接的に表示パネル１２に表示するようになっていても良い。
【００６６】
なお、本実施の形態においては、省エネモード遷移要因として、印刷中に用紙切れが発生したこと（図３）と、印刷中にジャムが発生したこと（図４）とについて説明しているが、他の要因であっても良い。例えば、ＭＦＰ１０が所定の動作の終了後に一定時間何も操作されないと省エネモードに遷移させられる場合、省エネモード遷移要因は、所定の動作の終了ということになる。
【００６７】
また、本実施の形態においては、省エネ制御部１１ｅに遷移用時間の計測を休止させるエラーとして、カセット開状態（図３）と、カバー開状態（図４）とについて説明しているが、プリントエンジン１３による印刷を妨げるエラーであれば、他のエラーであっても良い。例えば、用紙無し状態や、ジャム有り状態が、省エネ制御部１１ｅに遷移用時間の計測を休止させるエラーであっても良い。
【００６８】
省エネ制御部１１ｅに遷移用時間の計測を休止させるエラーが用紙無し状態である例としては、印刷中に用紙切れが発生したことを省エネモード遷移要因とする例が考えられる。この場合、印刷中に用紙切れが発生すると、ＭＦＰ１０は、遷移用時間の計測を開始するが、同時に用紙無し状態であるので、遷移用時間の計測を休止することになる。
【００６９】
省エネ制御部１１ｅに遷移用時間の計測を休止させるエラーがジャム有り状態である例としては、印刷中にジャムが発生したことを省エネモード遷移要因とする例が考えられる。この場合、印刷中にジャムが発生すると、ＭＦＰ１０は、遷移用時間の計測を開始するが、同時にジャム有り状態であるので、遷移用時間の計測を休止することになる。
【００７０】
また、ＭＦＰ１０は、遷移用時間の初期値を６０秒として遷移用時間をカウントダウンし、遷移用時間が０秒になったときに省エネモードに遷移するようになっているが、他の方法で遷移用時間を計測するようになっていても良い。例えば、ＭＦＰ１０は、遷移用時間の初期値を０秒として遷移用時間をカウントアップし、遷移用時間が３０秒になったときに省エネモードに遷移するようになっていても良い。
【００７１】
また、本発明の画像形成装置は、本実施の形態においてＭＦＰであるが、コピー機、プリンタなど、ＭＦＰ以外の画像形成装置であっても良い。
【符号の説明】
【００７２】
１０  ＭＦＰ（画像形成装置）
１１ｄ  機器状態制御部（エラー検出手段）
１１ｅ  省エネ制御部（遷移用時間計測手段、省エネモード遷移手段）
１２  表示パネル（残り時間表示手段）
【図１】
2011248155.tif 000003
【図２】
2011248155.tif 000004
【図３】
2011248155.tif 000005
【図４】
2011248155.tif 000006